(57)【要約】【課題】所望形状の人体部分の模型体を容易に製造可能な練習用模型の製造方法を提供する。【解決手段】足を含む人体部分の表皮及び骨格の三次元モデルを加工して、表皮に沿った形状の内部空間を有する型の三次元モデルを生成するステップと、生成した型の三次元モデル及び骨格の三次元モデルに基づき、３Ｄプリンターを用いて型５９及び骨格を模した骨格部材４ａを製作するステップと、製作した型５９の内部空間５９ｅ内に支持部材を介して骨格部材４ａを配置した状態で、内部空間５９ｅと骨格部材４ａとの間に樹脂４１を流し込むステップと、流し込んだ樹脂４１の硬化後に、樹脂４１から型５９及び支持部材を除去して、足を含む人体部分を模した模型体２を形成するステップと、形成した模型体２の母趾２ａ及び小趾２ｅに爪を形成するステップと、を含んでいる。【選択図】図１５
2019133103.tif 000002
【特許請求の範囲】
【請求項１】
足又は手を含む人体部分の表皮及び骨格の三次元モデルを加工して、前記表皮に沿った形状の内部空間を有する型の三次元モデルを生成するステップと、
生成した前記型の三次元モデル及び前記骨格の三次元モデルに基づき、３Ｄプリンターを用いて前記型及び前記骨格を模した骨格部材を製作するステップと、
製作した前記型の前記内部空間内に支持部材を介して前記骨格部材を配置した状態で、前記内部空間と前記骨格部材との間に樹脂を流し込むステップと、
流し込んだ前記樹脂の硬化後に、前記樹脂から前記型及び前記支持部材を除去して、前記人体部分を模した模型体を形成するステップと、
形成した前記模型体に含まれる前記足又は前記手の指の少なくとも１本に爪を形成するステップと、
を含むことを特徴とする練習用模型の製造方法。
【請求項２】
前記型の三次元モデルは、前記支持部材の三次元モデルを含み、
前記型及び前記骨格部材を製作するステップにおいて、前記型の三次元モデルに基づき、前記型と前記支持部材とを一体として製作することを特徴とする請求項１に記載の練習用模型の製造方法。
【請求項３】
前記型及び前記骨格部材を製作するステップにおいて、長手方向に沿って伸びている貫通孔が内部に形成された長尺の貫通孔形成部材が、一方の開口部が何れかの指の爪の付け根部に位置し他方の開口部が前記模型体の表皮に位置する爪用貫通孔を形成するように、前記骨格の三次元モデルに前記貫通孔形成部材の三次元モデルを組み合わせて前記骨格部材の三次元モデルを生成し、生成した三次元モデルに基づいて前記骨格部材を製作し、
前記爪を形成するステップにおいて、前記爪用貫通孔に長尺の板状の爪形成部材を押し込み、前記爪の付け根部に位置する前記爪用貫通孔の開口部から前記爪形成部材の端部が突き出した状態として、前記爪を形成することを特徴とする請求項１または２に記載の練習用模型の製造方法。
【請求項４】
前記貫通孔形成部材の一端には、前記爪用貫通孔の前記他方の開口部が形成され、
前記樹脂を流し込むステップにおいて、前記型の内面と前記貫通孔形成部材の前記一端との間に前記樹脂が侵入しないように、前記型の内面と前記貫通孔形成部材の前記一端とを密着させて、前記内部空間に前記樹脂を流し込むことを特徴とする請求項３に記載の練習用模型の製造方法。
【請求項５】
前記爪を形成するステップの後に、前記爪形成部材を前記模型体にネジ止めするステップを含むことを特徴とする請求項３または４に記載の練習用模型の製造方法。
【請求項６】
足又は手を含む人体部分を模して形成され、一方の開口部が前記足又は前記手の指の爪の付け根部に位置し、他方の開口部が表皮に位置する爪用貫通孔を有する模型体と、
前記爪の付け根部に位置する前記爪用貫通孔の開口部から端部が突き出すように、前記爪用貫通孔に差し込まれ、前記模型体の爪を形成している長尺板状の爪形成部材と、
を備えることを特徴とする練習用模型。
【請求項７】
前記模型体の内部には、骨格を模した骨格部材が配置されており、
前記骨格部材は、長手方向に沿って伸びている貫通孔が内部に形成され、前記爪用貫通孔を形成する長尺の貫通孔形成部材を有していることを特徴とする請求項６に記載の練習用模型。
【請求項８】
前記貫通孔形成部材に取り付けられたナットと、
前記ナットと嵌り合う止めネジと、を備え、
前記ナット及び前記止めネジによって、前記爪形成部材を前記模型体にネジ止め可能となっていることを特徴とする請求項７に記載の練習用模型。
【請求項９】
前記ナット及び前記止めネジによって前記模型体にネジ止め可能な病変爪模型を備えることを特徴とする請求項８に記載の練習用模型。
【発明の詳細な説明】
【技術分野】
【０００１】
本発明は、ケア練習用の練習用模型及びその製造方法に関する。
【背景技術】
【０００２】
従来、例えば、足を模して形成された足の模型体と、足の模型体に着脱可能な爪と、を有するケアの練習用模型が提案されている（例えば、特許文献１参照。）。特許文献１に記載の練習用模型では、練習をしたい病変が現れている爪に交換して、爪の医療的ケア、つまり、爪を切る、爪を削る、爪に薬剤を塗る等の各種の処置を練習可能となっている。
ところで、医療的ケアにおける爪の処置では、美容目的で行うネイルケアと異なり、医療的アセスメントを行って、審美的な観点のみではなく、足の機能を保ちながら、足爪の障害を予防・軽減・改善することを目的として処置の方針が決定される。それゆえ、練習用模型には、外反母趾、内反小趾等、ケア対象者の足の状態を表現することが望まれる。
しかしながら、特許文献１に記載の練習用模型では、製造業者によって形状が決められた足の模型体を用いなければならず、医療的アセスメントに基づいたフットケア技術の習得が困難であった。また、足の模型体の製造に金型、つまり、高価な型が必要であるため、ケア対象者の足にあわせて足の模型体を製造することは、コスト的にも困難であった。
【先行技術文献】
【特許文献】
【０００３】
【特許文献１】特開２００９―２６８６０６号公報
【発明の概要】
【発明が解決しようとする課題】
【０００４】
本発明は、上記のような課題に着目したもので、所望形状の人体部分の模型体を容易に製造可能な練習用模型及びその製造方法を提供することを目的とする。
【課題を解決するための手段】
【０００５】
上記課題を解決するために、本発明の一態様は、（ａ）足又は手を含む人体部分の表皮及び骨格の三次元モデルを加工して、表皮に沿った形状の内部空間を有する型の三次元モデルを生成するステップと、（ｂ）生成した型の三次元モデル及び骨格の三次元モデルに基づき、３Ｄプリンターを用いて型及び骨格を模した骨格部材を製作するステップと、（ｃ）製作した型の内部空間内に支持部材を介して骨格部材を配置した状態で、内部空間と骨格部材との間に樹脂を流し込むステップと、（ｄ）流し込んだ樹脂の硬化後に、樹脂から型及び支持部材を除去して、人体部分を模した模型体を形成するステップと、（ｅ）形成した模型体に含まれる足又は手の指の少なくとも１本に爪を形成するステップと、を含む練習用模型の製造方法であることを要旨とする。
【０００６】
また、本発明の他の態様は、（ａ）足又は手を含む人体部分を模して形成され、一方の開口部が足又は手の指の爪の付け根部に位置し、他方の開口部が表皮に位置する爪用貫通孔を有する模型体と、（ｂ）爪の付け根部に位置する爪用貫通孔の開口部から端部が突き出すように、爪用貫通孔に差し込まれ、模型体の爪を形成している長尺板状の爪形成部材と、を備える練習用模型であることを要旨とする。
【発明の効果】
【０００７】
本発明によれば、模型体の型を３Ｄプリンターで作成するため、所望形状の人体部分の模型体を容易に製造可能な練習用模型及びその製造方法を提供できる。
【図面の簡単な説明】
【０００８】
【図１】本発明の実施形態に係る練習用模型を示す斜視図である。
【図２】足の模型体と爪形成用部材とを示す斜視図である。
【図３】骨格部材を示す斜視図である。
【図４】骨格部材の足先端側を拡大して示す要部拡大図である。
【図５】皮膚等部材の足先端側を拡大して示す要部拡大図である。
【図６】爪形成部材を取り付けた足の模型体を示す要部拡大図である。
【図７】病変爪模型を取り付けた足の模型体を示す要部拡大図である。
【図８】表皮及び骨格の三次元モデルを用意する工程を示す図であり、（ａ）は表皮の三次元モデルを示す斜視図であり、（ｂ）は骨格の三次元モデルを示す斜視図である。
【図９】型の三次元モデルを作成する工程を示す斜視図である。
【図１０】型を作成する工程を示す斜視図である。
【図１１】骨格部材の三次元モデルを作成する工程を示す斜視図である。
【図１２】骨格部材を作成する工程を示す斜視図である。
【図１３】ナットを収容する工程を示す斜視図である。
【図１４】型内に骨格部材を配置する工程を示す斜視図である。
【図１５】型内に樹脂を流し込む工程を示す斜視図である。
【図１６】爪を取り付ける工程を示す斜視図である。
【発明を実施するための形態】
【０００９】
以下、本発明の実施形態に係る練習用模型及びその製造方法について、図面を参照しつつ説明する。なお、以下に示す実施形態は、本発明の技術的思想を具体化するための方法や装置を例示するものであって、本発明の技術的思想は、構成部品の形状、構造、配置等を下記のものに特定するものでない。本発明の技術的思想は、請求の範囲に記載された請求項が規定する技術的範囲内において、種々の変更を加えることができる。
【００１０】
（練習用模型）
本発明の実施形態に係る練習用模型１は、医療的ケアにおける爪の処置の練習のためのモデルである。医療的ケアにおける爪の処置では、医療的アセスメントを行い、ケア対象者の足の状態を考慮して、足の機能を保ちながら足爪の障害を予防・軽減・改善するための処置の方針を決定する。爪の処置としては、例えば、爪を切る、爪を削る、爪に薬剤を塗る等の処置がある。本発明の実施形態に係る練習用模型１は、図１に示すように、模型体２と、爪形成部材３ａ、３ｅとを備えている。模型体２は、人の足を模した模型（モデル）であり、図２に示すように内部に配置され骨格を模した骨格部材４ａと、骨格部材４ａを覆い、皮膚等の骨格や爪以外の部分を模した皮膚等部材４ｂとを備えている。
【００１１】
骨格部材４ａは、図３に示すように、足先端の末節骨５ａ、６ａ、７ａ、８ａ、９ａから脛部分の腓骨１０及び脛骨１１までの骨状に成形された硬質の樹脂で構成されている。骨格部材４ａの各骨間の関節は、不可動とされ、骨同士の相対位置が固定されている。
骨格部材４ａには、図３に示すように、母趾２ａの中足骨５ｃを貫通する長尺板状の貫通孔形成部材１２が組み合わされている。貫通孔形成部材１２は、母趾２ａの中足骨５ｃを貫通し、皮膚等部材４ｂの母趾２ａ側の側面の表皮から皮膚等部材４ｂの母趾２ａの爪の付け根部まで至っている。貫通孔形成部材１２の母趾２ａ側の側面に位置する後端の端面は、足の側面の表皮を模した形状とされて、模型体２の表皮の一部を形成している。
【００１２】
また、貫通孔形成部材１２の内部には、貫通孔形成部材１２の長手方向に沿って、母趾２ａの爪の付け根部から踝方向に伸びている貫通孔１２ｂが形成されている。貫通孔１２ｂの断面形状は、図２の右下に示した長尺板状の爪形成部材３ａを貫通孔１２ｂに差し込むことで練習用模型１の母趾２ａの爪を形成可能となるように、上下方向に狭く且つ左右方向に広いスリット状となっており、また、中央部が上方に湾曲している。また、図４に示すように、母趾２ａの基節骨５ｂの上面と貫通孔形成部材１２の下側部分１２ａの下面とは、上下方向に伸びている円柱状の連結部材１３で連結されている。また、下側部分１２ａの上面には、連結部材１３まで達する凹状のナット収容部１４が形成されている。ナット収容部１４には、ナット１５が軸方向を上下方に向けて収容されている。ナット１５は、爪形成部材３ａをネジ止めするための、図６に示した止めネジ２７と嵌り合う。
【００１３】
また、図３に示すように、骨格部材４ａには、小趾２ｅの中足骨１６ｃ及び基節骨１６ｄを貫通する長尺板状の貫通孔形成部材１７が組み合わされている。貫通孔形成部材１７は、小趾２ｅの中足骨１６ｃ及び基節骨１６ｄを貫通し、皮膚等部材４ｂの小趾２ｅ側の側面の表皮から皮膚等部材４ｂの小趾２ｅの爪の付け根部まで至っている。貫通孔形成部材１７の小趾２ｅ側の側面に位置する後端の端面は、足の側面の表皮を模した形状とされ、模型体２（皮膚等部材４ｂ）の表面に露出し、模型体２の表皮の一部を形成している。
【００１４】
また、貫通孔形成部材１７の内部には、貫通孔形成部材１７の長手方向に沿って、小趾２ｅの爪の付け根部から踝方向に伸びている貫通孔１７ｂが形成されている。貫通孔１７ｂの断面形状は、図２の右下に示した長尺板状の爪形成部材３ｅを貫通孔１７ｅに差し込むことで練習用模型１の小趾２ｅの爪を形成可能となるように、上下方向に狭く且つ左右方向に広いスリット状となっており、また、中央部が上方に湾曲している。また、図４に示すように、小趾２ｅの中足骨１６ｂの上面と貫通孔形成部材１７の下側部分１７ａの下面とは、上下方向に伸びている円柱状の連結部材１８で連結されている。また、下側部分１７ａの上面には、連結部材１８まで達する凹状のナット収容部１９が形成されている。ナット収容部１９には、ナット２０が軸方向を上下方に向けて収容されている。ナット２０は、爪形成部材３ａをネジ止めするための、図６に示した止めネジ２８と嵌り合う。
また、図４に示すように、骨格部材４ａの中趾２ｃの基節骨７ｂの上面には、上下方向に伸びている円柱状部材６７が形成されている。円柱状部材６７の上面には、凹部６７ａが形成されている。凹部６７ａは、後述する皮膚等部材４ｂの形成工程で、図１４に示した型５９の凸部５９ｈが挿入され、骨格部材４ａに対して型５９を位置決め可能とする。
【００１５】
皮膚等部材４ｂは、人の足の骨格や爪以外の部分を模した形状に成形された軟質の樹脂で構成されている。皮膚等部材４ｂの母趾２ａの爪の付け根部には、図５に示すように、貫通孔形成部材１２の下側部分１２ａの上面の上に貫通孔２１が形成されている。貫通孔２１は、貫通孔形成部材１２の貫通孔１２ｂと同一の断面形状を有し、貫通孔形成部材１２の貫通孔１２ｂの先端側の端部まで至っている。そして、貫通孔形成部材１２の貫通孔１２ｂの先端側の端部と連通され、貫通孔１２ｂと１つの爪用貫通孔２２を形成している。爪用貫通孔２２は、図２に示すように、骨格部材４ａ及び皮膚等部材４ｂを貫通し、後端側の開口部２２ａが、爪形成部材３ａの差込用のスリットとして模型体２の母趾２ａ側の側面の表皮に位置し、先端側の開口部２２ｂが母趾２ａの爪の付け根部に位置している。爪用貫通孔２２の後端側の開口部２２ｂは、貫通孔形成部材１２の後端側の開口部で構成されている。貫通孔形成部材１２の母趾２ａの爪の付け根部に位置する先端は、爪用貫通孔２２の上側を覆う部分が省略され、図３に示すように、爪用貫通孔２２の下側及び横側を覆う下側部分１２ａのみを有する形状となっている。また、皮膚等部材４ｂの母趾２ａには、図５に示すように、ナット収容部１４の上方に、図６に示した止めネジ２７のネジ部を通すネジ用貫通孔２３が形成されている。
【００１６】
皮膚等部材４ｂの小趾２ｅの爪の付け根部には、図５に示すように、貫通孔形成部材１７の下側部分１７ａの上面の上に貫通孔２４が形成されている。貫通孔２４は、貫通孔形成部材１７の貫通孔１７ｂと同一の断面形状を有し、貫通孔形成部材１７の貫通孔１７ｂの先端側の端部まで至っている。そして、貫通孔形成部材１７の貫通孔１７ｂの先端側の端部と連通され、貫通孔１７ｂと１つの爪用貫通孔２５を形成している。爪用貫通孔２５は、図２に示すように、模型体２の骨格部材４ａ及び皮膚等部材４ｂを貫通し、後端側の図示を省略した開口部が小趾２ｅ側の側面の表皮に位置し、先端側の開口部２５ｂが小趾２ｅの爪の付け根部に位置している。貫通孔形成部材１７の後端側の開口部は、貫通孔形成部材１７の後端側の開口部で構成されている。貫通孔形成部材１７の小趾２ｅの爪の付け根部側に位置する先端は、爪用貫通孔２５の上側を覆う部分が省略され、図３に示すように、爪用貫通孔２５の下側及び横側を覆う下側部分１７ａのみを有する形状となっている。また、皮膚等部材４ｂの小趾２ｅには、図５に示すように、ナット収容部１９の上方に、図６に示した止めネジ２８のネジ部を通すネジ用貫通孔２６が形成されている。
【００１７】
爪形成部材３ａ、３ｅは、図２に示すように、長尺板状に成形された硬質の樹脂で構成されている。爪形成部材３ａは、図６に示すように、爪用貫通孔２２の先端側の開口部２２ｂから端部が突き出すように、爪用貫通孔２２に差し込まれ、模型体２の母趾２ａの爪を形成している。同様に、爪形成部材３ｅは、爪用貫通孔２５の先端側の開口部２５ｂから端部が突き出すように、爪用貫通孔２５に差し込まれ、模型体２の小趾２ｅの爪を形成している。それゆえ、本発明の実施形態に係る練習用模型１では、母趾２ａや小趾２ｅの爪を切ったり削ったりする医療的ケアを練習可能となっている。また、例えば、母趾２ａや小趾２ｅの爪に切ったり削ったりする処置を行って、爪の長さが短くなった場合、爪用貫通孔２２、２５内で爪形成部材３ａ、３ｅをスライドさせることで、爪が伸びている状態を再現できる。それゆえ、爪の医療的ケアを効率よく繰り返し練習することができる。
【００１８】
さらに、爪形成部材３ａは、皮膚等部材４ｂの図５に示したネジ用貫通孔２３を介して、上面側から下面側に、図４に示したナット１５と嵌り合う止めネジ２７のネジ部を貫通させて、止めネジ２７とナット１５とによって模型体２にネジ止め可能となっている。同様に、爪形成部材３ｅには、皮膚等部材４ｂの図５に示したネジ用貫通孔２６を介して、上面側から下面側に、図４に示したナット２０と嵌り合う止めネジ２８のネジ部を貫通させて、止めネジ２８とナット２０とによって模型体２にネジ止め可能となっている。それゆえ、爪形成部材３ａ、３ｅの挿入後に爪形成部材３ａ、３ｅをネジ止めすることで、爪の医療ケアの練習としてヤスリがけが行われ、爪形成部材３ａに外力が作用したときに、爪形成部材３ａ、３ｅが爪用貫通孔２２、２５に押し込まれることを防止できる。なお、爪の医療ケアの練習として、爪切り等、爪形成部材３ａ、３ｅに長手方向への外力を作用させない処置のみを行う場合には、爪形成部材３ａ、３ｅのネジ止めは省略してもよい。
【００１９】
また、本発明の実施形態に係る練習用模型１は、図７に示すように、病変した爪を模した病変爪模型２９ａ、２９ｅを備えている。病変した爪としては、例えば、白癬菌に感染して肥厚した爪がある。病変爪模型２９ａ、２９ｅの後端部のそれぞれは、爪用貫通孔２２、２５に差し込み可能な板状に形成されている。病変爪模型２９ａの後端部は、皮膚等部材４ｂの図５に示したネジ用貫通孔２３を介して、上面側から下面側に止めネジ２７のネジ部を貫通させて、図４に示したナット１５及び止めネジ２７によって模型体２にネジ止め可能となっている。同様に、病変爪模型２９ｅの後端部は、皮膚等部材４ｂの図５に示したネジ用貫通孔２３を介して、上面側から下面側に止めネジ２８のネジ部を貫通させて、図４に示したナット２０及び止めネジ２８によって模型体２にネジ止め可能となっている。それゆえ、白癬菌に感染して肥厚した爪等、爪用貫通孔２２、２５に差し込めない形状の爪についても、模型体２に取り付けでき、様々な爪の医療的ケアを練習できる。
【００２０】
（練習用模型の製造方法）
まず、図８（ａ）（ｂ）に示すように、人の足の表皮の三次元モデル５１と、骨格の三次元モデル５２とを用意する。ここで、「人の足の表皮の三次元モデル５１」、「骨格の三次元モデル５２」、後述する「型の三次元モデル５３」、「第１型の三次元モデル５３ａ」、「第２型の三次元モデル５３ｂ」、「第３型の三次元モデル５３ｃ」、「第４型の三次元モデル５３ｄ」、「貫通孔の三次元モデル５３ｆ、５３ｇ」、「凸部の三次元モデル５４、５５、５６」、「支持部材の三次元モデル５７ａ、５７ｂ、５７ｃ、５７ｄ、５７ｅ」、「貫通孔形成部材の三次元モデル６１、６２」、「骨格部材の三次元モデル６３」、「円柱状部材の三次元モデル６４」及び「ナット収容部の三次元モデル６５、６６」の用語に用いられる「三次元モデル」とは、コンピュータで認識可能なデータとして表現された三次元モデルである。言い換えると、「人の足の表皮」等の対象物の表面形状を表す三次元データである。
【００２１】
三次元モデル５１、５２を用意する方法としては、例えば、人体の三次元モデルを公開しているＷｅｂサイトから、ケア対象者の足に似た三次元モデルを探し出し、探し出した足の表皮や骨格の三次元モデルを、三次元モデル５１、５２としてダウンロードする方法を採用できる。また、例えば、ＣＴスキャナー等でケア対象者の足を撮影し、撮影して得た足の表皮や骨格の三次元モデルを、三次元モデル５１、５２とする方法も採用できる。また、表皮の三次元モデル５１としては、足先端から脛部分までの表皮を表現する三次元モデルを用いる。表皮を表現する三次元モデルでは、厚さが無く、三次元モデルの内部が空洞になっており、また、脛部分の上面が開口されている。さらに、骨格の三次元モデル５２としては、末節骨から腓骨及び脛骨までの骨格を表現する三次元モデルを用いる。
【００２２】
続いて、用意した表皮の三次元モデル５１を加工して、図９に示すように、三次元モデル５３を生成する。図９で生成される三次元モデル５３は、図１０に示したような足の型５９の三次元モデルであり、表皮に沿った形状の内部空間５９ｅを有している。三次元モデル５３の生成方法としては、例えば、表皮の三次元モデル５１の外面側に数ミリ（ｍｍ）の厚さを付与した三次元モデルを、三次元モデル５３とする方法を採用することができる。また、型５９の三次元モデル５３は、図１０に示した足の型５９の内部空間５９ｅに骨格部材４ａを収容可能となるように、図１０に示した第１型５９ａ、第２型５９ｂ、第３型５９ｃ、第４型５９ｄの三次元モデル５３ａ、５３ｂ、５３ｃ、５３ｄから構成される。図１０に示した第１型５９ａは、図１０の足の裏に対応する部分である。また、図１０に示した第２型５９ｂは、図１０の足の甲の左側、左側面及び踵の左側に対応する部分である。さらに、図１０に示した第３型５９ｃは、図１０の足の甲の右側、右側面及び踵の右側に対応する部分である。また、図１０に示した第４型５９ｄは、図１０の足首よりも上側の部分である。さらに、型５９の三次元モデル５３の母趾２ａの爪の先端部分には、図１０に示した貫通孔５９ｆの三次元モデル５３ｆを含んでいる。図１０に示した貫通孔５９ｆは、図１０に示した型５９の母趾２ａの爪の先端部分に沿った横長の開口部を有している。また、型５９の三次元モデル５３の小趾２ｅの爪の先端部分には、図１０に示した貫通孔５９ｇの三次元モデル５３ｇを含んでいる。図１０に示した貫通孔５９ｇは、図１０に示した型５９の小趾２ｅの爪の先端部分に沿った横長の開口部を有している。
【００２３】
また、型５９の三次元モデル５３の内面には、図１０に示した凸部５９ｈ、５９ｉ、５９ｊの三次元モデル５４、５５、５６を含んでいる。図１０に示した凸部５９ｈは、中趾２ｃの部分に形成され、型５９の内部空間５９ｅに骨格部材４ａを配置する工程で、骨格部材４ａに対して型５９が適切な位置に位置決めされるように、図１２に示した円柱状部材６７の凹部６７ａに挿入されるピン状部材である。また、図１０に示した凸部５９ｊは、母趾２ａの部分に形成され、図２に示した皮膚等部材４ｂのネジ用貫通孔２３を形成するための凸状部材である。さらに図１０に示した凸部５９ｈは、小趾２ｅの部分に形成され、図２に示した皮膚等部材４ｂのネジ用貫通孔２６を形成するための凸状部材である。
また、型５９の三次元モデル５３の内面には、図９に示すように、図１０に示した支持部材６０ａ、６０ｂ、６０ｃ、６０ｄ、６０ｅの三次元モデル５７ａ、５７ｂ、５７ｃ、５７ｄ、５７ｅを含んでいる。支持部材６０ａ〜６０ｅは、型５９の内部空間５９ｅに骨格部材４ａを配置する工程で、骨格部材４ａが足の骨格として適切な位置に保持されるように、型５９の内面から離れた位置に骨格部材４ａを支持するためのピン状部材である。
【００２４】
続いて、図１０、図１１、図１２に示すように、生成した型５９の三次元モデル５３及び骨格の三次元モデル５２に基づき、３Ｄプリンター５８を用いて型５９及び骨格部材４ａを製作する。具体的には、まず、型５９の三次元モデル５３を３Ｄプリンター５８に入力し、３Ｄプリンター５８を用いて型５９を製作する。型５９は、図１０に示すように、第１型５９ａ、第２型５９ｂ、第３型５９ｃ及び第４型５９ｄの４つの部品から構成される。また、型５９の内面には、凸部５９ｈ〜５９ｊ及び支持部材６０ａ〜６０ｅが型５９と一体として製作される。さらに、型５９の母趾２ａの爪の先端部分には、貫通孔５９ｆが形成される。また、型５９の小趾２ｅの爪の先端部分には貫通孔５９ｇが形成される。
３Ｄプリンター５８としては、例えば、熱溶解積層法（ＭＤＦ法）、光造形法、粉末法、シート積層法、インクジェット法等、種々の方式のものを採用することができる。特に、型５９及び骨格部材４ａの製作コストの観点からは、熱溶解積層法によって立体物を造形する３Ｄプリンターを用いるのが好ましい。熱溶解積層法の３Ｄプリンターを用いる場合には、フィラメントとしては、ポリ乳酸（ＰＬＡ）樹脂等の硬質の樹脂が好ましい。
【００２５】
続いて、図１１に示すように、用意した骨格の三次元モデル５１に、貫通孔形成部材１２の三次元モデル６１と、貫通孔形成部材１７の三次元モデル６２とを組み合わせて、骨格部材４ａの三次元モデル６３を生成する。三次元モデル６３の中趾２ｃの基節骨７ｂを表現している部分には、図１２に示した円柱状部材６７の三次元モデル６４を含んでいる。また、三次元モデル６３の母趾２ａの基節骨５ｂを表現している部分には、図１２に示したナット収容部１４の三次元モデル６５を含んでいる。さらに、三次元モデル６３の小趾２ｅの中足骨１６ｂを表現している部分には、図１２に示したナット収容部１９の三次元モデル６６を含んでいる。続いて、図１２に示すように、生成した三次元モデル６２を３Ｄプリンター５８に入力し、３Ｄプリンター５８を用いて骨格部材４ａを生成する。骨格部材４ａの中趾２ｃの基節骨７ｂには、凹部６７ａを有する円柱状部材６７が形成される。また、骨格部材４ａの母趾２ａの基節骨５ｂには、ナット収容部１４が形成される。さらに、骨格部材４ａの小趾２ｅの中足骨１６ｂには、ナット収容部１９が形成される。
【００２６】
続いて、図１３、図１４に示すように、製作した型５９の内部空間５９ｅ内に骨格部材４ａを配置する。具体的には、まず、図１３に示すように、骨格部材４ａのナット収容部１４にナット１５を収容し、また、ナット収容部１９にナット２０を収容する。続いて、図１４に示すように、骨格部材４ａの周囲に、支持部材６０ａ〜６０ｅを介して、第１型５９ａ、第２型５９ｂ、第３型５９ｃ及び第４型５９ｄの４つの部品を配置して型５９を構成して、型５９の内部空間５９ｅに骨格部材４ａを配置する。型５９と骨格部材４ａとの間に支持部材６０ａ〜６０ｅを介在させることで、型５９の内面から離れた位置に骨格部材４ａが支持され、骨格部材４ａが足の骨格として適切な位置に保持された状態となる。その際、型５９と支持部材６０ａ〜６０ｄとが一体であるため、型５９と骨格部材４ａとの間への支持部材６０ａ〜６０ｄの配置に要する手間を低減することができ、樹脂４１の硬化後に行う支持部材６０ａ〜６０ｄの除去に要する手間も軽減することもできる。
【００２７】
その際、骨格部材４ａの凹部６７ａに型５９の凸部５９ｈを挿入する。型５９の凸部５９ｈを挿入することで、骨格部材４ａに対して型５９を適切な位置に容易に配置できる。
また、型５９の内面と貫通孔形成部材１２の後端との間に樹脂４１が侵入してこないように、型５９の内面と貫通孔形成部材１２の後端とを密着させて、貫通孔１２ｂの後端側の開口部１２ｃが塞がれた状態とする。同様に、型５９の内面と貫通孔形成部材１７の後端との間に樹脂４１が侵入してこないように、型５９の内面と貫通孔形成部材１７の後端とを密着させて、貫通孔１７ｂの後端側の図示を省略した開口部が塞がれた状態とする。
【００２８】
続いて、図１４に示すように、長尺板状の樹脂板６８を貫通孔５９ｆから型５９の内部に押し込む。所定の圧力で樹脂板６８を押し込むと、樹脂板６８の一端が貫通孔形成部材１２の貫通孔１２ｂに差し込まれる。型５９の貫通孔５９ｆに差し込まれた状態として、図１６に示した爪形成部材３ａが収容される位置に樹脂板６８の他端が現れる。樹脂板６８としては、図１６に示した爪形成部材３ａと同一形状の部材を用いる。押圧により樹脂板６８を差し込むことで、模型体２に、図５に示した貫通孔２１等、図１６に示した爪形成部材３ａが収容される空間が形成される。そして、型５９の内部空間５９ｅの形状が、母趾２ａの爪を省いた足を表現した形状となる。また、樹脂板６８により、ナット収容部１４のナット１５のネジ穴や貫通孔形成部材１２の貫通孔１２ｂが塞がれた状態となる。
【００２９】
また同様に、図１４に示すように、長尺板状の樹脂板６９を貫通孔５９ｇから型５９の内部に押し込む。所定の圧力で樹脂板６９を押し込むと、樹脂板６９の一端が貫通孔形成部材１７の貫通孔１７ｂに差し込まれる。型５９の貫通孔５９ｇに樹脂板６９の他端が差し込まれた状態として、図１６に示した爪形成部材３ｅが収容される位置に樹脂板６９の他端が現れる。樹脂板６９としては、図１６に示した爪形成部材３ｅと同一形状の部材を用いる。押圧により樹脂板６９を差し込むことで、模型体２に、図５に示した貫通孔２４等、図１６に示した爪形成部材３ｅが収容される空間が形成される。そして、型５９の内部空間５９ｅの形状が、小趾２ｅの爪を省いた足を表現した形状となる。また樹脂板６９により、ナット収容部１９のナット２０のネジ穴や貫通孔１７ｂが塞がれた状態となる。
その際、第１型５９ａ、第２型５９ｂ、第３型５９ｃ及び第４型５９ｄ間の隙間、型５９と樹脂板６８、６９の隙間等は、グルーガン７０を用いてホットメルト接着剤で塞ぐ。
【００３０】
続いて、図１５に示すように、型５９の内部空間５９ｅと骨格部材４ａとの間に樹脂４１を流し込み、型５９に充填する。流し込む樹脂４１としては、硬化後に柔軟性を有する樹脂を採用できる。例えば、二液型のポリウレタン樹脂、シリコン樹脂が挙げられる。
続いて、図２に示すように、人の足を模した模型体２を形成する。具体的には、まず、図１５に示した型５９の内部空間５９ｅと骨格部材４ａとの間に流し込んだ樹脂４１を硬化させて、樹脂４１を骨格部材４ａと一体化させ、皮膚等部材４ｂを形成する。皮膚等部材４ｂの外形は、図１５に示した型５９の内部空間５９ｅの内面や、樹脂板６８、６９で表現される形状、つまり、母趾２ａの爪及び小趾２ｅの爪を省いた足を模した形状となる。また、図１５に示した樹脂板６８により、皮膚等部材４ｂの貫通孔２１が形成されて、皮膚等部材４ｂの貫通孔２１と貫通孔形成部材１２の貫通孔１２ｂとから、爪用貫通孔２２が形成される。また同様に、図１５に示した樹脂板６９により、皮膚等部材４ｂの貫通孔２４が形成されて、皮膚等部材４ｂの貫通孔２４と貫通孔形成部材１７の貫通孔１７ｂとから、爪用貫通孔２５が形成される。さらに、図１５に示した凸部５９ｉにより、皮膚等部材４ｂの母趾２ａにネジ用貫通孔２３が形成される。また、図１５に示した凸部５９ｊにより、皮膚等部材４ｂの小趾２ｅにネジ用貫通孔２６が形成される。
【００３１】
その際、図１５に示した型５９の内面と貫通孔形成部材１２の後端とが密着した状態とされ、また、型５９の内面と貫通孔形成部材１７の後端とが密着した状態とされる。それゆえ、爪用貫通孔２２の後端側の開口部２２ａが樹脂４１で覆われずに済み、図２に示したように、爪用貫通孔２２の後端側の開口部２２ａを模型体２の表面に露出できる。同様に、爪用貫通孔２５の後端側の図示を省略した開口部が樹脂４１で覆われずに済み、図示が省略されているが、爪用貫通孔２５の後端側の開口部を模型体２の表面に露出できる。
なお、図１５に示した型５９の内面と貫通孔形成部材１２、１７の後端との間に樹脂４１が侵入し、貫通孔形成部材１２、１７の後端が樹脂４１で覆われてしまった場合には、貫通孔形成部材１２、１７の後端から樹脂４１を除去する工程を行う。この工程により、爪用貫通孔２２、２５の後端側の開口部２２ａ、２５ａを模型体２の表面に露出させる。
【００３２】
続いて、形成された爪用貫通孔２２、２５のそれぞれから、図１５に示した樹脂板６８、６９を除去する。続いて、図１５に示した第１型５９ａ、第２型５９ｂ、第３型５９ｃ及び第４型５９ｄを分割して、硬化後の樹脂４１、つまり、皮膚等部材４ｂから、図１５に示した型５９及び図１０に示した支持部材６０ａ〜６０ｅを除去する。型５９及び支持部材６０ａ〜６０ｅの除去により、人の足を模した図２に示した模型体２を形成する。
続いて、皮膚等部材４ｂに表面処理を行い、皮膚の質感を出す。表面処理としては、例えば、樹脂４１のベタつきをとるために、ベビーパウダーをまぶす処理を採用できる。
【００３３】
続いて、図１６に示すように、模型体２の母趾２ａ及び小趾２ｅに爪を形成する。具体的には、まず、母趾２ａ側の爪用貫通孔２２の後端側の開口部２２ａから爪用貫通孔２２の内部に爪形成部材３ａを差し込む。続いて、所定の圧力で爪形成部材３ａの後端を押し込み、母趾２ａの爪の付け根部に位置する爪用貫通孔２２の先端側の開口部２２ｂから爪形成部材３ａの端部を突き出した状態として、模型体２の母趾２ａに爪を形成する。また同様に、小趾２ｅ側の爪用貫通孔２５の後端側の図示を省略した開口部から爪用貫通孔２５の内部に爪形成部材３ｅを差し込む。続いて、所定の圧力で爪形成部材３ｅの後端を押し込み、小趾２ｅの爪の付け根部に位置する貫通孔１７ｂの先端側の開口部２５ｂから爪形成部材３ｅの端部を突き出した状態として、模型体２の小趾２ｅに爪を形成する。
【００３４】
続いて、図１に示すように、爪形成部材３ａ、３ｅを模型体２にネジ止めする。具体的には、図６、図７に示すように、爪形成部材３ａの上面側から下面側に止めネジ２７のネジ部を貫通させて、止めネジ２７と図１３に示したナット１５とによって爪形成部材３ａを模型体２にネジ止めする。同様に、図６、図７に示すように、爪形成部材３ｅの上面側から下面側に止めネジ２８のネジ部を貫通させて、止めネジ２８と図１３に示したナット２０とによって爪形成部材３ｅを模型体２にネジ止めする。それゆえ、例えば、爪の医療ケアの練習で爪がヤスリがけされ、爪形成部材３ａ、３ｅに外力が作用したときに爪形成部材３ａ、３ｅが図２に示した爪用貫通孔２２、２５に押し込まれることを防止できる。
【００３５】
以上説明したように、本発明の実施形態に係る練習用模型１の製造方法によれば、模型体２の型５９を３Ｄプリンター５８で作成するため、所望形状の人体部分の模型体２を容易に製造可能な練習用模型製造方法を提供できる。すなわち、人の足の表皮の三次元モデル５１と骨格の三次元モデル５２とを変更することで、模型体２の足のサイズを大人のものから子供のものまで変化させることや、外反母趾、内反小趾等の変形した練習用模型１を形成することができる。それゆえ、さまざまな大きさや形状の模型体２を作成できる。
そのため、練習用模型１に、サイズの大小、外反母趾、内反小趾等、ケア対象者の足の状態を表現させることができる。したがって、練習用模型１を用いて医療的アセスメントを行うことができ、ケア対象者の足の状態を考慮し、足の機能を保ちながら、足爪の障害を予防・軽減・改善するための処置の方針を決定することができる。その結果、医療的アセスメントに基づいたフットケア技術の習得が可能となる。
【００３６】
また、本発明の実施形態に係る練習用模型１では、人の足を模して形成され、一方の開口部２２ｂが母趾２ａや小趾２ｅの爪の付け根部に位置し、他方の開口部２２ａ、２５ａが表皮に位置する爪用貫通孔２２、２５を有する模型体２を備える。また、爪の付け根部に位置する爪用貫通孔２２、２５の開口部２２ｂから端部が突き出すように、爪用貫通孔２２、２５に差し込まれ、模型体２の爪を形成している長尺板状の爪形成部材３ａ、３ｅを備える。それゆえ、例えば、爪に切る、削る等の処置を行って、爪の長さが短くなった場合、爪用貫通孔２２、２５内で爪形成部材３ａ、３ｅをスライドさせることで、爪が伸びている状態を再現でき、爪の医療的ケアを効率よく繰り返し練習できる。また、爪用貫通孔２２、２５の断面形状を変化させることで、差し込み可能な爪形成部材３ａ、３ｅの厚さを変化させることができ、さまざまな厚さの爪に対応することができる。
ちなみに、長尺板状の爪形成部材３ａ、３ｅに代え、爪の付け根部から先端までを模した爪状の部品を模型体２に取り付ける方法では、練習で爪が短くなった場合、その都度爪状の部品を取り替える必要があるため、繰り返し練習の効率が低下する可能性がある。
【００３７】
（変形例）
（１）なお、上記実施形態では、練習用模型１の母趾２ａと小趾２ｅとにのみ爪を形成する例を示したが、他の構成を採用することもできる。例えば、母趾２ａ、示趾、中趾、環趾、小趾２ｅといった、足の指の少なくとも１本に爪を形成する構成であればよい。示趾、中趾または環趾に爪を形成する場合、示趾、中趾または環趾用の爪用貫通孔の後端側の開口部は、例えば、練習用模型１の足裏の表皮に設けるようにしてもよい。
（２）また、上記実施形態では、練習用模型１を、爪の医療的ケアを練習可能なモデルとする例を示したが、他の構成を採用することもできる。例えば、皮膚の医療的ケアも練習可能なモデルとしてもよい。皮膚の医療的ケアも練習可能とする場合、魚の目やタコ、白癬菌感染症等を模した皮膚の病変模型を模型体２に着脱可能に設けるようにしてもよい。
【００３８】
（３）さらに、本発明の実施形態に係る練習用模型１では、貫通孔形成部材１２、１７の貫通孔１２ｂ、１７ｂが爪用貫通孔２２、２５の一部を形成する例を示したが、他の構成を採用することもできる。例えば、貫通孔形成部材１２、１７の貫通孔１２ｂ、１７ｂを延長し、貫通孔１２ｂ、１７ｂが爪用貫通孔２２、２５の全体を形成してもよい。
（４）また、本発明の実施形態に係る練習用模型製造方法では、型５９と支持部材６０ａ〜６０ｅとを一体として製作する例を示したが、他の構成を採用することもできる。例えば、型５９と支持部材６０ａ〜６０ｅとを個別に制作するようにしてもよい。
【００３９】
（５）さらに、上記実施形態では、３Ｄプリンター５８を用いて、型５９と骨格部材４ａとを個別に製作する例を示したが、他の構成を採用することもできる。例えば、型５９と骨格部材４ａとを支持部材６０ａ〜６０ｅを介して一体的に製作する構成としてもよい。型５９と骨格部材４ａとを一体的に制作する場合、サポート材の除去し易さから、ポリビニルアルコール（ＰＶＡ）等の可溶性の樹脂からなる水溶性のサポート材を用いるようにしてもよい。また、型５９の組み立て易さや樹脂４１からの除去し易さから、第１型５９ａ、第２型５９ｂ、第３型５９ｃ、第４型５９ｄ間に、細い連結部材を形成してもよい。
【００４０】
（６）また、上記実施形態では、練習用模型１を、人の足を模した模型とする例を示したが、他の構成を採用することもできる。例えば、足に加え、足以外の部分も模した模型としてもよい。すなわち、足を含む人体部分を模した模型とする構成であればよい。足を含む人体部分としては、例えば、足の先端から膝までの部分を採用できる。足を含む人体部分を模した練習用模型を製造する場合、足の表皮の三次元モデル及び骨格の三次元モデルに代えて、足を含む人体部分の表皮の三次元モデル及び骨格の三次元モデルを用いる。そして、足を模した模型体２に代えて、足を含む人体部分を模した模型体を形成する。その他の手順は上記した人の足を模した練習用模型１の製造方法と同様の手順を採用できる。
また、例えば、手を含む人体部分を模した模型としてもよい。手を含む人体部分としては、例えば、手のみ、または手の先端から肘までの部分を採用できる。手を含む人体部分を模した練習用模型を製造する場合、足を含む人体部分の表皮の三次元モデル及び骨格の三次元モデルに代えて、手を含む人体部分の表皮の三次元モデル及び骨格の三次元モデルを用いる。そして、足を含む人体部分を模した模型体２に代えて、手を含む人体部分を模した模型体を形成する。その他の手順は、上記した足を含む人体部分を模した練習用模型１の製造方法と同様の手順を採用できる。
【符号の説明】
【００４１】
１…練習用模型、２…模型体、２ａ…母趾（第１趾）、２ｃ…中趾（第３趾）、２ｅ…小趾（第５趾）、３ａ…爪形成部材、３ｅ…爪形成部材、４ａ…骨格部材、４ｂ…皮膚等部材、５ａ…末節骨（第一末節骨）、５ｂ…基節骨（第一基節骨）、５ｃ…中足骨（第一中足骨）、６ａ…末節骨（第二末節骨）、７ａ…末節骨（第三末節骨）、７ｂ…基節骨（第三基節骨）、８ａ…末節骨（第四末節骨）、９ａ…末節骨（第五末節骨）、１０…腓骨、１１…脛骨、１２…貫通孔形成部材、１２ａ…下側部分、１２ｂ…貫通孔、１２ｃ…開口部、１３…連結部材、１４…ナット収容部、１５…ナット、１６ｂ…中足骨（第五中足骨）、１６ｃ…中足骨（第五中足骨）、１６ｄ…基節骨（第五基節骨）、１７…貫通孔形成部材、１７ａ…下側部分、１７ｂ…貫通孔、１８…連結部材、１９…ナット収容部、２０…ナット、２１…貫通孔、２２…爪用貫通孔２２ａ、２２ｂ…開口部、２３…ネジ用貫通孔、２４…貫通孔、２５…爪用貫通孔、２５ａ、２５ｂ…開口部、２６…ネジ用貫通孔、２７、２８…止めネジ、２９ａ、２９ｅ…病変爪模型、５１…表皮の三次元モデル、５２…骨格の三次元モデル、５３…型の三次元モデル、５３ａ…第１型の三次元モデル、５３ｂ…第２型の三次元モデル、５３ｃ…第３型の三次元モデル、５３ｄ…第４型の三次元モデル、５３ｆ、５３ｇ…貫通孔の三次元モデル、５４、５５、５６…凸部の三次元モデル、５７ａ、５７ｂ、５７ｃ、５７ｄ、５７ｅ…支持部材の三次元モデル、５８…３Ｄプリンター、５９…型、５９ａ…第１型、５９ｂ…第２型、５９ｃ…第３型、５９ｄ…第４型、５９ｅ…内部空間、５９ｆ…貫通孔、５９ｇ…貫通孔、５９ｈ、５９ｉ、５９ｊ…凸部、６０ａ、６０ｂ、６０ｃ、６０ｄ、６０ｅ…支持部材、６１、６２…貫通孔形成部材の三次元モデル、６３…骨格部材の三次元モデル、６４…円柱状部材の三次元モデル、６５、６６…ナット収容部の三次元モデル、６７…円柱状部材、６７ａ…凹部、６８、６９…樹脂板、７０…グルーガン
【図１】
2019133103.tif 000003
【図２】
2019133103.tif 000004
【図３】
2019133103.tif 000005
【図４】
2019133103.tif 000006
【図５】
2019133103.tif 000007
【図６】
2019133103.tif 000008
【図７】
2019133103.tif 000009
【図８】
2019133103.tif 000010
【図９】
2019133103.tif 000011
【図１０】
2019133103.tif 000012
【図１１】
2019133103.tif 000013
【図１２】
2019133103.tif 000014
【図１３】
2019133103.tif 000015
【図１４】
2019133103.tif 000016
【図１５】
2019133103.tif 000017
【図１６】
2019133103.tif 000018